(57)【要約】  【課題】  近年箔打紙として多用されている炭素紙を有効に再利用、又は別用途に転用することで得られる履物用中敷を提供すること。  【解決手段】  中敷シート１には、その上面に足裏面が当接される中敷本体２が設けられており、この中敷本体２の下面側には炭素紙３及び金属箔４が積層されている。ここで、炭素紙３は、グラシン紙などの洋紙の表裏面に、微細な炭素粉末を、水及びカゼインなどを混合させたバインダを用いて塗装付着させた箔打紙であって、好ましくは過去に箔打ちに使用された箔打紙である。そして、金属箔４は、例えば、耐食性及び抗菌性を有する金属である金箔、銀箔または銅箔で形成されており、炭素紙３と共に中敷シート１に抗菌性を付与するものでもある。【選択図】        図２
0003117943.tif 000002
【実用新案登録請求の範囲】
【請求項１】
履物の内底部に設置されて使用される履物用中敷において、
一面に足裏が当接される足裏接面が形成されている中敷本体と、
その中敷本体の前記足裏接面に対する反対面に積層され、炭素粉末が表裏面に付着されて、金属箔の箔打ちに使用される箔打紙で形成される炭素紙と、
その炭素紙における前記中敷本体の非積層面に積層され、その中敷本体との間に前記炭素紙を挟装させる金属箔とを備えていることを特徴とする履物用中敷。
【請求項２】
前記炭素紙は、金属箔の箔打ちで使用済みとなった箔打紙で形成されていることを特徴とする請求項１記載の履物用中敷。
【請求項３】
前記炭素紙は、洋紙の表裏面にバインダを介して炭素粉末が塗装された使用済の箔打紙であることを特徴とする請求項１又は２に記載の履物用中敷。
【考案の詳細な説明】
【技術分野】
【０００１】
本考案は、靴などの履物の内底部に設置されて使用される履物用中敷に関するものである。
【背景技術】
【０００２】
靴などの履物の内部は、熱や湿気が籠もりやすく雑菌が繁殖しやすい状況にある。このため、従来より、そのような履物内部の衛生環境を改善するため、消臭機能、抗菌機能、又は防黴機能が付与された履物用中敷が多数提案されている。
【０００３】
ところで、近年、伝統的な箔打紙が灰汁、柿渋、卵などに繰り返し浸して空打ちすることで仕上げられるので製造に手間がかかることもあり、箔打紙の低廉化および製造工程の簡易化の観点から、紙材の表裏面に炭素粉末を付着させた炭素紙が箔打紙として多用されるに至っている。
【考案の開示】
【考案が解決しようとする課題】
【０００４】
しかしながら、上記した炭素紙を使用した箔打紙では、伝統的な仕上げが施された箔打紙に比べて、箔打ちに対する耐久強度が劣るため、伝統的な箔打紙に比べて短期間で箔打紙としての寿命を終えることとなり、結果、使用済の箔打紙の量が増大してしまうという問題点がある。
【０００５】
しかも、金箔などの金属箔の箔打ちに使用される箔打紙は、金属箔を箔打ちする際に数万回も打ち伸ばされるのに耐え得る耐久強度を元来備えているので、たとえ箔打紙としての使用寿命を迎え使用済みとなった炭素紙であっても、通常の紙材に比べれば極めて高い耐久性を未だ保有するものであり、資源保全の観点からも有効な再利用が図られるべきである。
【０００６】
そこで、本考案は、主として、上述した問題点を解決するためになされたものである一方で、近年箔打紙として多用されている炭素紙を有効に再利用、又は別用途に転用することで得られる履物用中敷を提供することを目的とするものである。
【課題を解決するための手段、及び、考案の効果】
【０００７】
この目的を達成するために請求項１記載の履物用中敷は、履物の内底部に設置されて使用されるものであり、一面に足裏が当接される足裏接面が形成されている中敷本体と、その中敷本体の前記足裏接面に対する反対面に積層され、炭素粉末が表裏面に付着されて、金属箔の箔打ちに使用される箔打紙で形成される炭素紙と、その炭素紙における前記中敷本体の非積層面に積層され、その中敷本体との間に前記炭素紙を挟装させる金属箔とを備えている。
【０００８】
この請求項１記載の履物用中敷によれば、履物の内底部に設置されて使用される場合、金属箔が履物の内底部に当接される格好で使用され、中敷本体の足裏接面に使用者の足裏が当接される。そして、炭素紙の炭素粉末によって履物内に抗菌作用が与えられ、その結果、雑菌による異臭や黴の発生を抑制できるという効果がある。
【０００９】
また、金属箔が抗菌性金属の場合には、その金属箔によっても履物内に抗菌性を付与できるという効果がある。もっとも、金属箔が抗菌性を伴わない金属の場合であっても中敷本体の片面に金属光沢による美観を付与できるので、その外見上の美観によって履物用中敷を店頭販売する際に商品的価値を付与できるという効果がある。
【００１０】
請求項２記載の履物用中敷は、請求項１記載の履物用中敷において、前記炭素紙は、金属箔の箔打ちで使用済みとなった箔打紙で形成されている。
【００１１】
この請求項２記載の履物用中敷によれば、請求項１記載の履物用中敷と同様な作用及び効果を奏する上、更に、使用済みの箔打紙を炭素紙として使用するので、通常の紙材に比べれば未だ高い耐久性を有している使用済の箔打紙を、有効な資源として再利用することができるという効果がある。
【００１２】
請求項３記載の履物用中敷は、請求項１又は２に記載の履物用中敷において、前記炭素紙は、洋紙の表裏面にバインダを介して炭素粉末が塗装された使用済の箔打紙である。
【００１３】
この請求項３記載の履物用中敷によれば、請求項１又は２に記載の履物用中敷と同様な作用及び効果を奏することに加え、伝統的な箔打紙に比べて極めて短期で使用寿命を迎えてしまう洋紙製の炭素紙を用いた箔打紙であっても、通常の紙材に比べれば未だ高い耐久性を有しているので、充分な耐久強度を保ちつつ中敷本体に積層される炭素紙として再利用できるという効果がある。
【考案を実施するための最良の形態】
【００１４】
以下、本考案の好ましい実施例について、添付図面を参照して説明する。図１は、本考案の一実施例である中敷シート１の斜視図である。
【００１５】
図１に示すように、中敷シート１は、靴などの履物の内底部の平面形状に適合した形状、即ち、人の足裏面の形状に模られている。この中敷シート１の上面側には、使用者の足裏面が当接される足裏接面２ａを有するシート状の中敷本体２が設けられており、この中敷本体２の下面側には上から順番に炭素紙３及び金属箔４が積層されている。
【００１６】
図２は、中敷シート１の縦断面図である。図２に示すように、中敷本体２の足裏接面２ａに対する反対面、即ち、中敷本体２の下面には、炭素紙３が天然植物系の接着剤を介して貼着されて積層されている。炭素紙３は、グラシン紙などの洋紙の表裏面に、微細な炭素粉末を、水及びカゼインなどを混合させたバインダを用いて塗装付着させた箔打紙であって、好ましくは過去に箔打ちに使用された箔打紙である。
【００１７】
なお、炭素紙３の基材として使用される紙材は、上記した洋紙に限定されるものではなく和紙であっても良く、又、グラシン紙に限定されるものでもなく他の種類の洋紙であっても良い。
【００１８】
また、炭素紙３における中敷本体２の非積層面、即ち、炭素紙３の下面には、金属箔４が天然植物系の接着剤を介して貼着されて積層されており、この結果、中敷シート１は、金属箔４と中敷本体２との間に炭素紙３が挟装される積層構造とされている。金属箔４は、例えば、耐食性及び抗菌性を有する金属である金箔、銀箔または銅箔で形成されており、炭素紙３と共に中敷シート１に抗菌性を付与するものでもある。
【００１９】
しかも、この金属箔４は、中敷シート１の片面に金属光沢を付与して美観を向上させるものでもある。よって、例えば、中敷シート１を単品で店頭販売するような場合には、金属箔４の形成面を表側にして展示することで、その金属箔４の表面光沢によって商品的価値を高めることができる。
【００２０】
なお、金属箔４の素材は必ずしも上記のものに限定されるものではなく、その他の金属、例えば、耐食性を有するアルミニウム箔などであっても良い。もっとも、アルミニウム自体は金、銀又は銅金属にように抗菌性金属のない金属（非抗菌性金属）であるので、アルミニウム箔を使用する場合には抗菌剤による表面処理を施すようにしても良い。
【００２１】
以上、実施例に基づき本考案を説明したが、本考案は上記実施例に何ら限定されるものではなく、本考案の趣旨を逸脱しない範囲内で種々の改良変形が可能であることは容易に推察できるものである。
【図面の簡単な説明】
【００２２】
【図１】本考案の一実施例である中敷シートの斜視図である。
【図２】中敷シートの縦断面図である。
【符号の説明】
【００２３】
１                  中敷シート（履物用中敷）
２                  中敷本体
２ａ                足裏接面
３                  炭素紙
４                  金属箔
【図１】
0003117943.tif 000003
【図２】
0003117943.tif 000004